(57)【要約】【課題】    本発明は、ポリエチレンフィルムを用いた袋に関するもので、現状、袋単体で使用しており、チャック付きの袋にポケットの付いているものは無かったのでチャック付きポケット袋の開発が望まれていた。【解決手段】  チャック付きポケット袋１において、チャック付きポケット袋１に折り返し部２、折り返し部３、ポケット用シート部４、ポケットシール部５、溶着部６、溶着部７、チャック部８、小判穴部９、底マチ部１０を設ける。図３の示すようなチャック付きポケット袋１に折り返し部２、折り返し部３を設ける事により、袋が２重になる為、袋の強度を増す事が可能になる。図３の示すようにチャック付きポケット袋の内側にポケット用シート部４を設ける事により内側のポケット、図４の示すようにポケット用シート部４をチャック付きポケット袋の外側に設けることにより、外側のポケットを形成するチャック付きポケット袋。【選択図】図１
2019182543.tif 000002
【特許請求の範囲】
【請求項１】
チャック付きポケット袋１において、チャック付きポケット袋１に折り返し部２、折り返し部３、ポケット用シート部４、ポケットシール部５、溶着部６、溶着部７、チャック部８、小判穴部９、底マチ部１０を設ける。図３の示すようなチャック付きポケット袋１に折り返し部２、折り返し部３を設ける事により、袋が２重になる為、袋の強度を増す事が可能になる。図３の示すようにチャック付きポケット袋の内側にポケット用シート部４を設ける事により内側のポケット、図４の示すようにポケット用シート部４をチャック付きポケット袋の外側に設けることにより、外側のポケットを形成するチャック付きポケット袋。
【発明の詳細な説明】
【技術分野】
【０００１】  本発明は、ポリエチレンフィルムを熱溶着させて形成したチャック袋の中央部に１枚のシートを取り付け、チャック袋にポケットを設ける事を目的としたチャック付きポケット袋に関する物である。
【背景技術】
【０００２】  従来、チャック袋に一体化した袋は無く、チャック袋単体で使用するかポケット部分を別に作成し、チャック袋とポケットを両面テープ等で貼り合わせ使用していた。上記で挙げたチャック袋とポケットは、別々で製造する製造コスト、貼り付ける手加工コスト等があり、価格面で一般消費者にかなり負担になっていた。そこで、本考案はチャック袋を作る工程でポケットを付ける事を可能にしたチャック付きポケット袋を提案するものである。【０００３】  そこでコストを抑えたチャック袋とポケットを一体化した袋の製造が望まれていた。
【発明の開示】
【発明が解決しようとする課題】
【０００４】  解決しようとする課題は、従来ポリエチレンフィルムで製造したチャック袋には、ポケットを付ける事が出来ず、生産コスト面、及び価格面で加工業者、一般消費者にかなり負担がかかり、チャック袋などに詰めて販売されているシャンプーセット等の価格面での折り合いがつかず、一般消費者への負担となることがあった。【０００５】  そこで、低価格でチャック袋にポケット部を設けた袋の開発が望まれていた。上記の課題を解決する為に本発明のチャック付きポケット袋は、ポリエチレンフィルムを材料として用い平面加工にて熱溶着させチャック袋を形成させ、チャック袋を形成する過程でポリエチレンフィルムのシートを同時に使用し、チャック袋とシートの両サイドを熱溶着させ、熱溶着されていないシート部分にポケット部分を設ける事により、チャック袋を製造する工程でポケットの付いたチャック付きポケット袋を形成する。
【課題を解決するための手段】
【０００６】  チャック付きポケット袋１において、チャック付きポケット袋１に折り返し部２、折り返し部３、ポケット用シート部４、ポケットシール部５、溶着部６、溶着部７、チャック部８、小判穴部９、底マチ部１０を設ける。
以上の様に構成されたチャック付きポケット袋である。【０００７】  またチャック付きポケット袋１の袋の内側にポケット用シート４を取り付けると内ポケットが形成され、チャック付きポケット袋１の袋の外側にポケット用シート４を取り付けると外ポケットが形成され、用途に応じたチャック付きポケット袋が形成される。
【発明の効果】
【０００８】  以上説明した発明によれば、チャック袋にポケットを付ける事が可能になった為、セット作業場での手間、紙の台紙を使用することが無くなった為、コスト面で一般消費者に低価格で提供することが可能になった。
【発明を実施するための最良の形態】
【０００９】  以下、図を用いて本発明の実施の形態を説明する。
図１は、本発明の表面図を表した物である。
チャック付きポケット袋１において、チャック付きポケット袋１に折り返し部２、折り返し部３、ポケット用シート部４、ポケットシール部５、溶着部６、溶着部７、チャック部８、小判穴部９、底マチ部１０を設ける。図３の示すようなチャック付きポケット袋１に折り返し部２、折り返し部３を設ける事により、袋が２重になる為、袋の強度を増す事が可能になる。図３の示すようにチャック付きポケット袋の内側にポケット用シート部４を設ける事により内側のポケット、図４の示すようにポケット用シート部４をチャック付きポケット袋の外側に設けることにより、外側のポケットを形成することが加工になる。【００１０】  チャック付きポケット袋１に折り返し部２、折り返し部３、ポケット用シート部４、ポケットシール部５、チャック部８、判底マチ部１０を設け、図１の示すようにチャック付きポケット袋１に溶着部６、溶着部７を設けることにより、チャック付きポケット袋を形成することが可能になります。【００１１】  図２、図３の示すようにチャック付きポケット袋１にチャック部８を設けることにより開閉可能なチャック部を形成することが可能になります。【００１２】  チャック付きポケット袋１のフィルムとフィルムの間にポケット用シート部４を入れる事により、ポケットを製造する為の土台を形成する。チャック付きポケット袋１のフィルム１枚とポケット用シール部４にポケットシール部５を設け熱シール加工する事により、チャック付きポケット袋１にポケットが形成される。【００１３】  上記のチャック部８、ポケットシール部５を形成後、チャック付きポケット袋１のフィルムとフィルムに熱加工を加え、溶断シール部６、溶断シール部７をシール加工する事により、チャック付きポケット付き袋を形成する事が可能になる。【００１４】    図３、図４は本発明の断面図を表した物である。図３の様にチャック付きポケット袋１の内側にポケット用シート４を形成する事により袋の内側にポケットが形成され、図４の様にチャック付きポケット袋１の外側にポケット用シート４を形成する事により袋の外側にポケットを形成する事が可能になる。
【図面の簡単な説明】
【００１５】
【図１】  本発明の表面図である。
【図２】  本発明の斜視図を表した図である。
【図３】  本発明の内側ポケットの断面図を表した図である。
【図４】  本発明の外側ポケットの断面図を表した図である。
【符号の説明】
【００１６】      １    チャック付きポケット部
２    折り返し部
３    折り返し部
４    ポケット用シート部
５    ポケットシール部
６    溶着部
７    溶着部
８    チャック部
９    小判穴部
１０  底マチ部
【図１】
2019182543.tif 000003
【図２】
2019182543.tif 000004
【図３】
2019182543.tif 000005
【図４】
2019182543.tif 000006